(57)【特許請求の範囲】
【請求項１】
釘打ち出し用のノーズ部に直鞘状のマガジンを連結し、該マガジンに設けたプッシャーによりスティック状に連結された連結釘を順次上記ノーズ部内に供給し、ピストンに結合されたドライバによりノーズ部から釘を打ち出す釘打機において、
上記プッシャーに取り付けられ、該プッシャーをノーズ部方向に付勢するゼンマイバネの巻き終わり端部に固定ピンを取り付け、上記ノーズ部近傍のマガジンの側部にノーズ部側に先細りに形成された開口部から上記固定ピンの頭部を突出させるとともに、係合孔が形成された固定プレートを上記開口部の外側に配置し、固定プレートに形成された係合孔から上記固定ピンの頭部を突出させ、該固定プレートをノーズ部方向に移動させて上記固定ピンを上記開口部の先細り部に案内して上記固定プレートをノーズ部に固定することを特徴とする釘打機におけるプッシャー用ゼンマイバネの取り付け構造。
【発明の詳細な説明】
【０００１】
【発明の属する技術分野】
本発明は、プッシャーをノーズ部方向に付勢するゼンマイバネの交換を容易にした釘打機におけるプッシャー用ゼンマイバネの取り付け構造に関する。
【０００２】
【従来の技術】
従来、プッシャーをノーズ部方向に付勢するゼンマイバネは、巻き終り端部に固定ピンが取り付けられ、この巻き終り端部をマガジンに組み付けるためには、マガジンの壁面に形成されノーズ部側が幅広の凸字状に形成された開口部から固定ピンの頭部を突出させた後、マガジンをノーズ部側に移動させ固定ピンを先細り部に案内し、マガジンをノーズ部に固定することによりノーズ部とマガジンとで挟み込んでゼンマイバネをマガジンに固定していた。
【０００３】
【発明が解決しようとする課題】
しかしながら、上述のゼンマイバネは長期間使用することによって疲労して、弾性が弱くなったり、折れる等の障害が発生し、ゼンマイバネを交換する際にゼンマイバネの巻き終りに取り付けられている固定ピンの固定を解除するために、マガジンをノーズ部から分離する作業が必要になり、ゼンマイバネの交換は煩雑なものであった。
【０００４】
本発明は上記問題点を解消し、プッシャーを付勢するゼンマイバネの交換を容易にした釘打機におけるプッシャー用ゼンマイバネの取り付け構造を提供することをその課題とする。
【０００５】
【課題を解決するための手段】
前記課題を解決するため、本発明に係る釘打機におけるプッシャー用ゼンマイバネの取り付け構造は、釘打ち出し用のノーズ部に直鞘状のマガジンを連結し、該マガジンに設けたプッシャーによりスティック状に連結された連結釘を順次上記ノーズ部内に供給し、ピストンに結合されたドライバによりノーズ部から釘を打ち出す釘打機において、上記プッシャーに取り付けられ、該プッシャーをノーズ部方向に付勢するゼンマイバネの巻き終わり端部に固定ピンを取り付け、上記ノーズ部近傍のマガジンの側部にノーズ部側に先細りに形成された開口部から上記固定ピンの頭部を突出させるとともに、係合孔が形成された固定プレートを上記開口部の外側に配置し、固定プレートに形成された係合孔から上記固定ピンの頭部を突出させ、該固定プレートをノーズ部方向に移動させて上記固定ピンを上記開口部の先細り部に案内して上記固定プレートをノーズ部に固定することを特徴とする。
【０００６】
【発明の実施の形態】
図１は、本発明に係る釘打機を示し、この釘打機はボディ１の内部に打撃シリンダ２を設け、このシリンダ内を上下動する打撃ピストン３にドライバ４を一体に結合し、グリップ５内に供給された圧縮エアをトリガレバー６の引き操作によって打撃シリンダ２内に供給して打撃ピストン３を駆動するように構成されているもので、ボディ１の先端には上記ドライバ４を摺動案内するとともに釘を打ち出す射出口を備えたノーズ部７が延長形成されている。このノーズ部７の側部には、直線状に連結された連結釘を収容する直鞘状のマガジン８の端部が結合されて、マガジン８から供給された釘ａは打撃ピストン３の駆動によって射出口９の先端から打ち出されるようになっている。
【０００７】
ところで、上記マガジン８には、マガジン８に装填された釘をノーズ部7の射出口内に押し出すプッシャー１０が設けられている。このプッシャー１０は、図２（ａ）に示すように、マガジン８の長手方向に摺動可能に配置され、プッシャー１０の中心の軸１１に回転可能に軸支されたドラム１２にはゼンマイバネ１３の巻き始め端部が固定され、ゼンマイバネ１３の巻き終り端部はノーズ部７に固定プレート１４を介して固定され、ゼンマイバネ１３の巻き戻り力でプッシャー１０を常にノーズ部7方向に付勢し、先端に突出形成された押圧突部１０ａでマガジン８内の釘ａをノーズ部7の射出口９内に順次供給できるように構成されている。
【０００８】
上記ゼンマイバネ１３の巻き終り端部には固定ピン１５が加締められ、この固定ピン１５は頭部１５ａが膨出して形成され、この固定ピン１５の頭部１５ａはマガジン８の側部に形成された開口部１６から外方に突出するようになっている。
【０００９】
上記開口部１６は、図３（ａ）に示すように、ノーズ部7側に向かって前端の幅が後端の幅よりも狭い略凸字状に形成され、先細り部１６ａの幅は固定ピン１５の頭部１５ａの大きさよりも狭く、幅広部１６ｂは固定ピン１５の頭部１５ａよりも広く形成され、幅広部１６ｂから突出させた固定ピン１５を先細り部１６ａに案内した時には固定ピン１５の頭部１５ａが先細り部１６ａに引っかかって抜けないようになっている。
【００１０】
そして、固定プレート１４は、図３（ａ）に示すように、上記固定ピン１５の頭部１５ａが貫通できる大きさの係合孔１７が形成された金属の板部材で、ノーズ部7にボルト１８で固定できるようになっており、固定ピン１５の頭部１５ａを係合孔１７から突出させた状態で、固定プレート１４をノーズ部7方向に移動し、固定ピン１５の軸部を開口部１６の先細り部１６ａに案内し軸部を先細り部１６ａの先端に当接した状態にしてボルト１８をノーズ部7にねじ止めして固定ピン１５を固定することによりゼンマイバネ１３の巻き終り端部をマガジン８に固定できるようになっている（図３（ｂ）参照）。
【００１１】
なお、上記プッシャー１０の側面には操作レバー１９がマガジン８の外方に突出するように形成され、ゼンマイバネ１３に抗して操作レバー１９を後方引くことにより、図２（ｂ）に示すように、釘ａの押圧を解除できるようになっている。
【００１２】
上記構成のゼンマイバネの取り付け構造によれば、ゼンマイバネ１３の巻き終り端部をマガジン８に固定する場合は、図４（ａ）に示すように、巻き終り端部に加締られた固定ピン１５の頭部１５ａをマガジン８の開口部１６の幅広部１６ｂから外方に突出させ、図４（ｂ）に示すように、開口部１６から突出した固定ピン１５の頭部１５ａにマガジン８の外側から固定プレート１４の係合孔１７を係合させ、係合孔１７から頭部１５ａを突出させた状態で固定プレート１４をノーズ部7側に移動し、固定ピン１５の軸部を開口部１６の先細り部１６ａの先端に当接するまで案内して固定プレート１４をノーズ部7にボルト１８で固定すればよい（図４（ｃ）参照）。
【００１３】
そして、ゼンマイバネ１３に障害が生じた時には、ボルト１８を外して固定プレート１４をフリーにして固定ピン１５を開口部１６の先細り部１６ａから幅広部１６ｂに移動させることにより固定ピン１５の固定を解除することができ、マガジン８を外すことなくゼンマイバネ１３の固定を解除することができるのでゼンマイバネ１３の交換を容易にすることができる。
【００１４】
【発明の効果】
本発明によれば、プッシャーのゼンマイバネに障害が発生し、ゼンマイバネを交換する必要が生じた場合は、固定プレートを止めているボルトを外すことによりゼンマイバネの固定を解除することができるので、マガジンを分解したりする作業が不要となり、ゼンマイバネを容易に交換することができ、交換時におけるトラブルの発生を回避することができる。
【図面の簡単な説明】
【図１】釘打機の側面図
【図２】（ａ）（ｂ）は要部を切断した底面図
【図３】（ａ）（ｂ）はゼンマイバネの取り付け構造を説明する側面図
【図４】（ａ）（ｂ）（ｃ）はゼンマイバネの固定態様の説明図
【符号の説明】
７  ノーズ部
１０  プッシャー
１３  ゼンマイバネ
１４  固定プレート
１５  固定ピン
１６  開口部
１７  係合孔
【図１】
0004106509.tif 000002
【図２】
0004106509.tif 000003
【図３】
0004106509.tif 000004
【図４】
0004106509.tif 000005